(57)【要約】【課題】複数本の歯ブラシを、美観を損なわず衛生的に並べて保持できるようにする。【解決手段】歯ブラシホルダ２０は、ヘッド部４３Ａ，４３Ｃを上向きにした歯ブラシ４０Ａ，４０Ｃの棒状本体４１Ａ，４１Ｃを水平方向への変位規制状態で保持可能であり、水平に並ぶように配された複数の保持溝２２（保持部）と、複数の保持溝２２の下方に配され、棒状本体４１Ａ，４１Ｃを下から支える第１受け部材３０及び第２受け部材３５と、両受け部材３０，３５を個別に高さ調節可能に支持する高さ調節部（左側板部２６Ｌ，右側板部２６Ｒ，仕切板部２７）とを備えている。【選択図】図２
2019176915.tif 000002
【特許請求の範囲】
【請求項１】
ヘッド部を上向きにした歯ブラシの棒状本体を水平方向への変位規制状態で保持可能であり、水平に並ぶように配された複数の保持部と、
前記複数の保持部の下方に配され、前記棒状本体を下から支える複数の受け部材と、
前記複数の受け部材を個別に高さ調節可能に支持する高さ調節部とを備えていることを特徴とする歯ブラシホルダ。
【請求項２】
前記受け部材の下方に、載置部が間隔を空けて設けられていることを特徴とする請求項１記載の歯ブラシホルダ。
【請求項３】
前記受け部材に複数の貫通孔が形成されていることを特徴とする請求項１又は請求項２記載の歯ブラシホルダ。
【請求項４】
前記受け部材は、前記貫通孔を通過した水分を受ける水受け皿を有していることを特徴とする請求項３記載の歯ブラシホルダ。
【請求項５】
前記複数の保持部が１つの保持部材に形成され、
前記高さ調節部が、前記保持部材とは別体の調節部材に形成されていることを特徴とする請求項１ないし請求項４のいずれか１項に記載の歯ブラシホルダ。
【請求項６】
洗面化粧台を構成するキャビネット内の溝部に嵌合可能なリブを有していることを特徴とする請求項１ないし請求項５のいずれか１項に記載の歯ブラシホルダ。
【請求項７】
内部に収納空間が形成されたキャビネット本体と、
前記収納空間を構成する左右両内側壁に形成され、上下方向に所定の間隔を空けた複数の溝部と、
前記収納空間内に収容された請求項６記載の歯ブラシホルダとを備えていることを特徴とする洗面化粧台用キャビネット。
【発明の詳細な説明】
【技術分野】
【０００１】
本発明は、歯ブラシホルダ及び洗面化粧台用キャビネットに関する。
【背景技術】
【０００２】
特許文献１には、キャビネット内に、複数本の歯ブラシを立てた状態で並べて保持する歯ブラシホルダが開示されている。歯ブラシホルダは、キャビネットの支持板から突出する複数の仕切板と、これら複数の仕切板の突出端同士を連結する支持バーとを備えている。キャビネットの支持板と支持バーとの間には、仕切板によって区画された複数の貫通形態の保持部が形成されている。各保持部に歯ブラシの棒状本体を上側から差し入れると、棒状本体の下端がキャビネットの底板により下側から支持され、棒状本体が保持部に引っ掛かることによって、歯ブラシが起立した状態で保持される。
【先行技術文献】
【特許文献】
【０００３】
【特許文献１】特開平０８−２１５０８１号公報
【発明の概要】
【発明が解決しようとする課題】
【０００４】
上記の歯ブラシホルダは、全ての歯ブラシを水平な底板に載置した状態で支えている。そのため、長さの異なる大人用と子供用の歯ブラシを歯ブラシホルダに並べると、棒状本体の上端部に植毛された刷毛の高さが不揃いとなり、美観が低下する。これを回避する手段としては、刷毛の下端部を保持部の上端に引っ掛けて、歯ブラシを保持部からぶら下げる形態とする方法が考えられる。しかし、刷毛は、口腔内に入れる部位であるから、衛生面において問題がある。
【０００５】
本発明は、上記従来の実情に鑑みてなされたものであって、複数本の歯ブラシを、美観を損なわず衛生的に並べて保持できるようにすることを解決すべき課題としている。
【課題を解決するための手段】
【０００６】
第１の発明の歯ブラシホルダは、
ヘッド部を上向きにした歯ブラシの棒状本体を水平方向への変位規制状態で保持可能であり、水平に並ぶように配された複数の保持部と、
前記複数の保持部の下方に配され、前記棒状本体を下から支える複数の受け部材と、
前記複数の受け部材を個別に高さ調節可能に支持する高さ調節部とを備えていることを特徴とする。
【０００７】
第２の発明の洗面化粧台用キャビネットは、
内部に収納空間が形成されたキャビネット本体と、
前記収納空間を構成する左右両内側壁に形成され、上下方向に所定の間隔を空けた複数の溝部と、
前記収納空間内に収容された歯ブラシホルダとを備え、
前記ハウジングホルダは、
ヘッド部を上向きにした歯ブラシの棒状本体を水平方向への変位規制状態で保持可能であり、水平に並ぶように配された複数の保持部と、
前記複数の保持部の下方に配され、前記棒状本体を下から支える複数の受け部材と、
前記複数の受け部材を個別に高さ調節可能に支持する高さ調節部と、
前記溝部に嵌合可能なリブとを備えていることを特徴とする。
【発明の効果】
【０００８】
各棒状本体の長さに応じて複数の受け部材の高さを調節すれば、ヘッド部を保持部に接触させることなく、ヘッド部の高さを揃えた状態で複数本の歯ブラシを並べて保持することができる。本発明の歯ブラシホルダによれば、複数本の歯ブラシを、美観を損なわず衛生的に立てて並べて保持することができる。
【図面の簡単な説明】
【０００９】
【図１】実施例１の歯ブラシホルダが取り付けられる洗面化粧台のキャビネットの斜視図
【図２】歯ブラシホルダをキャビネットに取り付けた状態の正面図
【図３】保持部材の斜視図
【図４】第１受け部材の斜視図
【図５】第２受け部材の斜視図
【図６】実施例２の歯ブラシホルダをキャビネットに取り付けた状態の正面図
【発明を実施するための形態】
【００１０】
本発明は、前記受け部材の下方に、載置部が間隔を空けて設けられていてもよい。この構成によれば、受け部材と載置部との間の空間を収納スペースとして有効利用できる。
【００１１】
本発明は、前記受け部材に複数の貫通孔が形成されていてもよい。この構成によれば、濡れた歯ブラシを受け部材に載せると、棒状本体を伝って受け部材に流れた水は、貫通孔から受け部材の下方へ落下するので、受け部材の上面に水が残ったままにならず衛生的である。
【００１２】
本発明は、前記受け部材は、前記貫通孔を通過した水分を受ける水受け皿を有していてもよい。この構成によれば、歯ブラシから受け部材へ伝い流れた水が、受け部材の下方に置かれている物品を濡らす虞がない。
【００１３】
本発明は、前記複数の保持部が１つの保持部材に形成され、前記高さ調節部が、前記保持部材とは別体の調節部材に形成されていてもよい。この構成によれば、保持部材と調節部材を別体部品としたことにより、保持部と高さ調節部の洗浄を行い易い。
【００１４】
本発明は、洗面化粧台を構成するキャビネット内の溝部に嵌合可能なリブを有していてもよい。この構成によれば、歯ブラシホルダを洗面化粧台のキャビネット内に取り付けることができる。
【００１５】
＜実施例１＞
以下、本発明を具体化した実施例１を図１〜図５を参照して説明する。図１に示すのは、本実施例１の歯ブラシホルダ２０が収容されたキャビネット１１（洗面化粧台用キャビネット）の斜視図である。キャビネット１１は、洗面化粧台１０を構成するものであり、洗面ボウル（図示省略）の上方において壁面（図示省略）に固定されている。キャビネット１１は、キャビネット本体１２と歯ブラシホルダ２０とを備えて構成されている。
【００１６】
キャビネット本体１２内には、ミラー付き扉１５によって開閉される縦長の収納空間１３が形成されており、歯ブラシホルダ２０はキャビネット本体１２（収納空間１３）内に取り付けられている。収納空間１３を構成する左右両内側壁には、上下方向に所定の間隔を空けた複数の溝部１４が形成されている。これらの溝部１４は、歯ブラシホルダ２０をキャビネット本体１２（収納空間１３）に組み付けるための組み付け手段として機能する。
【００１７】
歯ブラシホルダ２０は、２本の大人用歯ブラシ４０Ａ（請求項に記載の歯ブラシ）と２本の小人用歯ブラシ４０Ｃ（請求項に記載の歯ブラシ）を保持することができる。歯ブラシ４０Ａ，４０Ｃは棒状本体４１Ａ，４１Ｃと刷毛４５Ａ，４５Ｃとを有する。棒状本体４１Ａ，４１Ｃの基端側部分は手で掴むためのハンドル部４２Ａ，４２Ｃとなっており、棒状本体４１Ａ，４１Ｃの先端部は、刷毛４５Ａ，４５Ｃが植毛されたヘッド部４３Ａ，４３Ｃとなっている。ハンドル部４２Ａ，４２Ｃとヘッド部４３Ａ，４３Ｃはネック部４４Ａ，４４Ｃで繋がっている。大人用歯ブラシ４０Ａの棒状本体４１Ａの長さは小人用歯ブラシ４０Ｃの棒状本体４１Ｃよりも長く、大人用歯ブラシ４０Ａのヘッド部４３Ａの長さも小人用歯ブラシ４０Ｃのヘッド部４３Ｃよりも長い。
【００１８】
歯ブラシホルダ２０は、１つの保持部材２１と、保持部材２１とは別体部品である１つの調節部材２４と、保持部材２１及び調節部材２４とは別体部品である第１受け部材３０（請求項に記載の受け部材）と、保持部材２１、調節部材２４及び第１受け部材３０とは別体部品である第２受け部材３５（請求項に記載の受け部材）とを備えて構成されている。
【００１９】
保持部材２１は、左右方向に細長い板状をなす。保持部材２１には、左右に所定ピッチで配された複数（本実施例１では４つ）の保持溝２２（請求項に記載の保持部）が形成されている。保持溝２２は、保持部材２１の一部を切欠した形態であり、保持部材２１の上面と下面と正面に開放された形態である。各保持溝２２には、保持部材２１の正面側から歯ブラシ４０Ａ，４０Ｃのネック部４４Ａ，４４Ｃが収容されるようになっている。
【００２０】
保持部材２１の左右両端部には、左右一対の上部リブ２３（請求項に記載のリブ）が形成されている。左右両上部リブ２３を、同じ高さの左右一対の溝部１４に嵌合することにより、保持部材２１は、キャビネット１１の収納空間１３内に収容された状態に保持される。収容された保持部材２１は、左右両側壁部の間で水平に橋渡された状態となり、４つの保持溝２２は、同じ高さで水平に所定間隔を空けて並ぶように配される。上部リブ２３は、いずれの溝部１４に対しても着脱可能である。したがって、保持部材２１の高さは、上部リブ２３を嵌合させる溝部１４を変更することで任意に調節することができる。
【００２１】
調節部材２４は、底板部２５（請求項に記載の載置部）と、底板部２５の左側縁から上方へ立ち上がる左側板部２６Ｌ（請求項に記載の高さ調節部）と、底板部２５の右側縁から上方へ立ち上がる右側板部２６Ｒ（請求項に記載の高さ調節部）と、底板部２５の左右方向略中央部から左右両側板部２６Ｌ，２６Ｒと平行に上方へ立ち上がる仕切板部２７（請求項に記載の高さ調節部）とを有する単一部材である。
【００２２】
左右両側板部２６Ｌ，２６Ｒの上端縁部には、夫々、左右方向外方へ突出した形態の下部リブ２８（請求項に記載のリブ）が形成されている。左右両下部リブ２８を、同じ高さの左右一対の溝部１４に嵌合することにより、調節部材２４は、保持部材２１の下方においてキャビネット１１の収納空間１３内に収容された状態に保持される。下部リブ２８は、いずれの溝部１４に対しても着脱可能である。したがって、調節部材２４の高さは、下部リブ２８を嵌合させる溝部１４を変更することで任意に調節することができる。
【００２３】
左側板部２６Ｌのうち仕切板部２７と対向する右側面と、仕切板部２７のうち左側面と対向する左側面には、上下方向に間隔を空けた複数の調節溝２９が形成されている。左側板部２６Ｌの調節溝２９と仕切板部２７の調節溝２９は、同じ高さで左右に対向するもの同士が対をなしている。右側板部２６Ｒのうち仕切板部２７と対向する左側面と、仕切板部２７のうち右側面と対向する右側面にも、上下方向に間隔を空けた複数の調節溝２９が形成されている。右側板部２６Ｒの調節溝２９と仕切板部２７の調節溝２９も、同じ高さで左右に対向するもの同士が対をなしている。
【００２４】
第１受け部材３０は、平面視略方形をなす受け板３１と、受け板３１の下面と間隔を空けて対向するように配された水受け皿３３とを一体化した単一部材である。受け板３１には、受け板３１を上下に貫通する複数の貫通孔３２が形成されている。即ち、受け板３１は網棚からなる。水受け皿３３の左右両側縁には上方へ立ち上がる一対の連結板部３４が形成され、連結板部３４の上端縁が受け板３１の下面に溶接等により固着されている。
【００２５】
第１受け部材３０は、左側板部２６Ｌと仕切板部２７の対をなす２つの調節溝２９に受け板３１の左右両側縁部を嵌合させることにより、調節部材２４に取り付けられている。取り付けられた第１受け部材３０は、保持部材２１より低い高さで水平に配され、左側の２つの保持溝２２の真下に位置している。受け板３１は、いずれの調節溝２９に対しても着脱可能である。したがって、第１受け部材３０の高さは、受け板３１を嵌合させる調節溝２９を変更することで任意に調節することができる。
【００２６】
第２受け部材３５は、平面視略方形の棚板状をなす。第２受け部材３５には、第２受け部材３５を上下に貫通する複数の貫通孔３２が形成されている。即ち、第２受け部材３５は網棚からなる。第２受け部材３５は、右側板部２６Ｒと仕切板部２７の対をなす２つの調節溝２９に第２受け部材３５の左右両側縁部を嵌合させることにより、調節部材２４に取り付けられている。
【００２７】
取り付けられた第２受け部材３５は、保持部材２１より低い高さで水平に配され、右側の２つの保持溝２２の真下に位置している。第２受け部材３５は、いずれの調節溝２９に対しても着脱可能である。したがって、第２受け部材３５の高さは、第２受け部材３５を嵌合させる調節溝２９を変更することで任意に調節することができる。
【００２８】
第１受け部材３０は、調節部材２４の底板部２５よりも上方の位置に取り付けられている。したがって、底板部２５の上面と第１受け部材３０（水受け皿３３）の下面との間には、正面側に開放された第１収納スペース３７が形成されている。第１受け部材３０と同様に、第２受け部材３５も、調節部材２４の底板部２５より上方の位置に取り付けられている。したがって、底板部２５の上面と第２受け部材３５の下面との間には、正面側に開放された第２収納スペース３８が形成されている。
【００２９】
本実施例１の歯ブラシホルダ２０の使用形態を説明する。歯ブラシホルダ２０のうち向かって左側の領域は小人用歯ブラシ４０Ｃ用として使用され、左側の２つの保持溝２２の下方には第１受け部材３０が取り付けられる。小人用歯ブラシ４０Ｃをヘッド部４３Ｃが上向きとなる状態にして、棒状本体４１Ｃの下端を第１受け部材３０の上面に載置し、ネック部４４Ｃを保持溝２２内に収容すると、小人用歯ブラシ４０Ｃを歯ブラシホルダ２０に保持することができる。
【００３０】
小人用歯ブラシ４０Ｃは全長が短いので、第１受け部材３０の取付け位置は比較的高い位置に設定する。このとき、保持部材２１の上面と第１受け部の上面との高低差は、小人用歯ブラシ４０Ｃの刷毛４５Ｃの下端と棒状本体４１Ｃの下端との高低差よりも小さい寸法とする。このようにすれば、刷毛４５Ｃの下端が保持部材２１の上面より上方に位置するので、刷毛４５Ｃが保持部材２１に接触することがなく、衛生的である。
【００３１】
歯ブラシホルダ２０のうち向かって右側の領域は、大人用歯ブラシ４０Ａ用として使用され、右側の２つの保持溝２２の下方には第２受け部材３５が取り付けられる。大人用歯ブラシ４０Ａをヘッド部４３Ａが上向きとなる状態にして、棒状本体４１Ａの下端を第２受け部材３５の上面に載置し、ネック部４４Ａを保持溝２２内に収容すると、大人用歯ブラシ４０Ａを歯ブラシホルダ２０に保持することができる。
【００３２】
大人用歯ブラシ４０Ａ（棒状本体４１Ａ）は小人用歯ブラシ４０Ｃ（棒状本体４１Ｃ）に比べて全長が長いので、第２受け部材３５の取付け位置は第１受け部材３０よりも低い位置に設定する。このとき、保持部材２１の上面と第２受け部の上面との高低差は、大人用歯ブラシ４０Ａの刷毛４５Ａの下端と棒状本体４１Ａの下端との高低差よりも小さい寸法とする。このようにすれば、刷毛４５Ａの下端が保持部材２１の上面より上方に位置するので、刷毛４５Ａが保持部材２１に接触することがなく、衛生的である。
【００３３】
２本の大人用歯ブラシ４０Ａと２本の小人用歯ブラシ４０Ｃが、ヘッド部４３Ａ，４３Ｃを上に向けて立てた姿勢で歯ブラシホルダ２０に取り付けられると、４つのヘッド部４３Ａ，４３Ｃ（刷毛４５Ａ，４５Ｃ）が、保持部材２１の上方において僅かな隙間を空けて概ね同じ高さに揃って並ぶ。このように４つのヘッド部４３Ａ，４３Ｃが概ね同じ高さに揃って並ぶ形態は、意匠性が高く、美観に優れている。
【００３４】
また、第１受け部材３０の下面と底板部２５の上面との間には第１収納スペース３７が確保され、第２受け部材３５の下面と底板部２５の上面との間には第２収納スペース３８が確保されている。水受け皿３３を有する第１受け部材３０の厚さ寸法は、第２受け部材３５の厚さ寸法より大きいので、第１受け部材３０を高い位置に取り付けて第１受け部材３０で全長の短い小人用歯ブラシ４０Ｃを下から支えるようにすることで、第１収納スペース３７の高さを確保した。
【００３５】
一方の第２受け部材３５は、第１受け部材３０より厚さ寸法が小さいので、全長の長い大人用歯ブラシ４０Ａを下から支承するために低い位置に取り付けても、第２収納スペース３８の高さを確保することができた。この第１収納スペース３７と第２収納スペース３８には、歯間ブラシ３９やコンタクトレンズ（図示省略）等を収納することができる。
【００３６】
本実施例の歯ブラシホルダ２０は、ヘッド部４３Ａ，４３Ｃを上向きにした歯ブラシ４０Ａ，４０Ｃの棒状本体４１Ａ，４１Ｃを水平方向への変位規制状態で保持可能であり、水平に並ぶように配された複数（４つ）の保持溝２２と、複数の保持溝２２の下方に配され、棒状本体４１Ａ，４１Ｃを下から支える複数の受け部材（第１受け部材３０と第２受け部材３５）と、第１受け部材３０と第２受け部材３５を個別に高さ調節可能に支持する高さ調節部（左側板部２６Ｌ、右側板部２６Ｒ及び仕切板部２７）とを備えている。
【００３７】
各棒状本体４１Ａ，４１Ｃの長さに応じて第１受け部材３０と第２受け部材３５の高さを調節すれば、ヘッド部４３Ａ，４３Ｃを保持溝２２（保持部材２１）に接触させることなく、ヘッド部４３Ａ，４３Ｃの高さを揃えた状態で複数本（４本）の歯ブラシを並べて保持することができる。したがって、本実施例の歯ブラシホルダ２０によれば、複数本（４本）の歯ブラシを、美観を損なわず衛生的に立てて並べて保持することができる。
【００３８】
また、第１受け部材３０の下方と第２受け部材３５の下方には、底板部２５が上下方向に間隔を空けて設けられている。この構成によれば、第１受け部材３０と底板部２５との間の空間を第１収納スペース３７として有効利用できるとともに、第２受け部材３５と底板部２５との間の空間を第２収納スペース３８として有効利用できる。
【００３９】
また、第１受け部材３０の受け板３１には複数の貫通孔３２が形成されている。濡れた小人用歯ブラシ４０Ｃを第１受け部材３０の受け板３１に載せると、棒状本体４１Ｃを伝って受け板３１に流れた水は、貫通孔３２から受け板３１の下方へ落下するので、受け板３１の上面に水が残ったままにならず衛生的である。さらに、第１受け部材３０は、受け板３１の貫通孔３２を通過して滴下した水分を受ける水受け皿３３を有している。この構成によれば、小人用歯ブラシ４０Ｃから第１受け部材３０へ伝い流れた水が、第１受け部材３０の下方に置かれている物品を濡らす虞がない。
【００４０】
また、第２受け部材３５にも複数の貫通孔３６が形成されている。濡れた大人用歯ブラシ４０Ａを第２受け部材３５に載せると、棒状本体４１Ａを伝って第２受け部材３５に流れた水は、貫通孔３６から第２受け部材３５の下方へ落下するので、第２受け部材３５の上面に水が残ったままにならず衛生的である。
【００４１】
また、複数（４つ）の保持溝２２が１つの保持部材２１に形成されており、左側板部２６Ｌと右側板部２６Ｒと仕切板部２７が、保持部材２１とは別体の調節部材２４に一体に形成されている。この構成によれば、保持部材２１と調節部材２４を別体部品としたことにより、保持溝２２や左側板部２６Ｌと右側板部２６Ｒと仕切板部２７の洗浄を行い易い。
【００４２】
また、本実施例１の歯ブラシホルダ２０は、洗面化粧台１０を構成するキャビネット１１内の溝部１４に嵌合可能な上部リブ２３と下部リブ２８とを有している。この構成によれば、歯ブラシホルダ２０以外の棚板（図示省略）を取り付けるための溝部１４を利用して、歯ブラシホルダ２０を洗面化粧台１０のキャビネット１１内に取り付けることができる。
【００４３】
＜実施例２＞
次に、本発明を具体化した実施例２を図６を参照して説明する。本実施例２のキャビネット５０（請求項に記載の洗面化粧台用キャビネット）は、歯ブラシホルダ５１を上記実施例１とは異なる構成としたものである。キャビネット本体１２を含む他の構成については上記実施例１と同じであるため、同じ構成については、同一符号を付し、構造、作用及び効果の説明は省略する。
【００４４】
上記実施例１の歯ブラシホルダ２０が、互いに別体部品として製造された保持部材２１と調節部材２４をキャビネット本体１２の溝部１４に個別に組み付けるものであるのに対し、本実施例２の歯ブラシホルダ５１は、単一部材として製造されたものである。歯ブラシホルダ５１は、実施例１の歯ブラシホルダ２０と同様、第１受け部材３０と第２受け部材３５を有している。
【００４５】
歯ブラシホルダ５１は、正面に略方形をなす背面板部５２を有する。背面板部５２の上端縁からは、４つの保持溝５４（請求項に記載の保持部）が形成された水平な保持板部５３が正面側へ突出し、背面板部５２の下端縁からは、底板部５５（請求項に記載の載置部）が突出している。背面板部５２の左側縁からは、右側面に複数の調節溝５８が形成された左側板部５６Ｌが突出し、背面板部５２の右側縁からは、左側面に複数の調節溝５８が形成された右側板部５６Ｒが突出している。背面板部５２の左右方向略中央部には、左右両側面に複数の調節溝５８が形成された仕切板部５７が、左右両側板部５６Ｌ，５６Ｒと平行に突出している。
【００４６】
保持板部５３の左右両端縁部には、左右一対の上部リブ５９（請求項に記載のリブ）が形成されている。左側板部５６Ｌの左側面における高さ方向中央より少し高い位置には、下部リブ６０（請求項に記載のリブ）が突出形成されている。右側板部５６Ｒの右側面における高さ方向中央より少し高い位置にも、下部リブ６０（請求項に記載のリブ）が突出形成されている。歯ブラシホルダ５１は、上部リブ５９と下部リブ６０を溝部１４に嵌合することにより、収納空間１３内に収容された状態に保持される。
【００４７】
第１受け部材３０と第２受け部材３５は、実施例１と同じ位置に取り付けられる。本実施例２の歯ブラシホルダ５１の使用形態としては、第１受け部材３０にコップ６１を載置しているが、第１受け部材３０は小人用歯ブラシ４０Ｃ（図６には図示を省略）を下から支持する手段として機能させることができる。また、実施例１の歯ブラシホルダ２０においても、第１受け部材３０にコップ６１等を載置することができる。
【００４８】
＜他の実施例＞
本発明は上記記述及び図面によって説明した実施例に限定されるものではなく、例えば次のような実施例も本発明の技術的範囲に含まれる。
（１）上記実施例１，２では、第１受け部材の下方に、底板部（載置部）を設けることによって第１収納スペースを確保したが、第１受け部材の下方に収納スペースを確保しない形態としてもよい。
（２）上記実施例１，２では、第２受け部材の下方に、底板部（載置部）を設けることによって第２収納スペースを確保したが、第２受け部材の下方に収納スペースを確保しない形態としてもよい。
（３）上記実施例１，２では、第２受け部材が透孔を有する網棚であるが、第２受け部材は、透孔を有しない平板であってもよい。
（４）上記実施例１，２では、２つの保持部に対して１つの受け部材を設けたが、１つの保持部に対し１つの受け部材を設けてもよく、３つ以上の保持部に対し１つの受け部材を設けてもよい。
（５）上記実施例１，２では、１つの保持部材に複数の保持部を形成したが、１つの保持部が形成された保持部材を、複数個、並べて配置してもよい。
（６）上記実施例１，２では、第１受け部材は受け板と水受け皿を一体化した単一部材であるが、第１受け部材は、互いに別体部品である受け板と水受け皿を分離可能に組み付けた形態であってもよい。
（７）上記実施例１，２では、歯ブラシホルダを洗面化粧台のキャビネット内に取り付ける場合について説明したが、本発明の歯ブラシホルダは、洗面化粧台の上に単独で置いて使用する形態としてもよい。
（８）上記実施例１，２では、歯ブラシホルダを洗面化粧台のキャビネット内に対して着脱可能としたが、本発明の歯ブラシホルダは、洗面化粧台のキャビネットと一体をなすものであってもよい。
【符号の説明】
【００４９】
１０…洗面化粧台
１１，５０…キャビネット（洗面化粧台用キャビネット）
１２…キャビネット本体
１３…収納空間
１４…溝部
２０，５１…歯ブラシホルダ
２１…保持部材
２２，５４…保持溝（保持部）
２３，５９…上部リブ（リブ）
２４…調節部材
２５，５５…底板部（載置部）
２６Ｌ，５６Ｌ…左側板部（高さ調節部）
２６Ｒ，５６Ｒ…右側板部（高さ調節部）
２７，５７…仕切板部（高さ調節部）
２８，６０…下部リブ（リブ）
３０…第１受け部材（受け部材）
３２、３６…貫通孔
３３…水受け皿
３５…第２受け部材（受け部材）
４０Ａ…大人用歯ブラシ（歯ブラシ）
４０Ｃ…小人用歯ブラシ（歯ブラシ）
４１Ａ，４１Ｃ…棒状本体
４３Ａ，４３Ｃ…ヘッド部
【図１】
2019176915.tif 000003
【図２】
2019176915.tif 000004
【図３】
2019176915.tif 000005
【図４】
2019176915.tif 000006
【図５】
2019176915.tif 000007
【図６】
2019176915.tif 000008